(57)【要約】【課題】長くて重いホースを容易でかつ円滑にホースを巻取ることや長くて重いホースを巻取る労力を軽減すること、長くて重いホースを巻取る時間を短縮することである。【解決手段】上部に逆Ｌ字形のホースガイドピン２とホースガイドピン２とを間隔をおいて相対向して有するパイプ３を、水平方向の支柱１の一端部に、設け、この水平方向の支柱の他端部に、巻取回転軸４の一端部には間隔をおいて複数本の巻取ピン６付き回転板５を設けるとともに巻取回転軸の他端部には先端にハンドル８付き回転用棒７を、設けて、この巻取ピン付き回転板の外側に１方の止め具５′を固定した回転板と、複数個の巻取ピン用穴１０を有するとともに回転板より大きくて他方の止め具９′を片面に固定した巻取板９とを、双方の止め具で着脱自在に仮着してなるホースの巻取装置１１である。【選択図】図１
2008201579.tif 000002
【特許請求の範囲】
【請求項１】
上部に逆Ｌ字形のホースガイドピンとホースガイドピンとを間隔をおいて相対向して有するパイプを、水平方向の支柱の一端部に、設け、該水平方向の支柱の他端部に、巻取回転軸の一端部には間隔をおいて複数本の巻取ピン付き回転板を設けるとともに巻取回転軸の他端部には先端にハンドル付き回転用棒を、設けて、該巻取ピン付き回転板の外側に１方の止め具を固定した回転板と、複数個の巻取ピン用穴を有するとともに回転板より大きくて他方の止め具を片面に固定した巻取板とを、双方の止め具で着脱自在に仮着してなるホースの巻取装置。
【請求項２】
ホースの巻取装置が、ホースの巻取装置のパイプをホースカーの先端部に有するＴ字形牽引棒の把持部に挿入して取付けるとともにホースの巻取装置の支柱をホースカーの先端部に有するＴ字形牽引棒の本体に着脱自在具で着脱自在に仮着してなる請求項１記載のホースの巻取装置。
【請求項３】
巻取ピン付き回転板と巻取板と巻取回転軸とハンドル付き回転用棒が、回転板に付けた巻取ピン寄り側を、水平方向より上方へと傾斜した角度で支柱の他端部に、設けてなる請求項１記載のホースの巻取装置。
【請求項４】
巻取ピン付き回転板が、垂直方向の回転板に巻取ピンを水平方向より上方へと傾斜した角度で設けてなる請求項１記載のホースの巻取装置。
【請求項５】
巻取ピン付き回転板が、円形の相対向する両側を切除した形状にしてなる請求項１記載のホースの巻取装置。
【請求項６】
パイプが、円形パイプの直径方向に２分割した半円形パイプを、半円形パイプの１方の分割側では１方の端部と他方の端部とを蝶番で連結し、半円形パイプの他方の分割側では１方の半円形パイプに１方の止め具を固定するとともに他方の半円形パイプに他方の止め具を固定して双方の止め具で着脱自在に仮着してなる請求項１記載のホースの巻取装置。
【発明の詳細な説明】
【技術分野】
【０００１】  この発明は、消防用ホース、灌漑用ホース、排水用ホースなどのホースを巻く時に使用するホースの巻取装置に係るものである。
【背景技術】
【０００２】  従来のホースの巻取り方は、これらのホースを使用した後に片付ける時には、多数本のホースを連結した長いホースの連結金具を取外してホースを地面の上に置いて手作業でホースを巻いている。更に別の従来のホースの巻取り方は、車輪付きホース巻取車でホースを巻いている。【０００３】  この従来の前者のホースの巻取り方では、ホースを片付ける時にホースの内外が水で濡れていて長くて重いホースを作業者が腰を曲げて屈みながら進んで手で巻く作業は重労働であるという問題点があるとともに地面が平らでなく、凹凸や傾斜がある所でのホースを手で巻く作業は困難であるという問題点があった。この従来の後者のホースの巻取り方では、ホースを片付けるために連結金具で連結したまま長いホースの巻く時に、ホースの連結金具を止めるストッパーがないために連結金具で連結したままの長いホースをそのまま巻くおそれがあるという問題点があるとともに長いホースを連結金具が邪魔して巻くことができなくなるおそれがあるいう問題点があった。
【特許文献１】  特開２００２−９８９６０
【発明の開示】
【発明が解決しようとする課題】
【０００４】  この発明は、従来のホースの巻取り方が有するこれらの問題点を解消し、長くて重いホースを容易でかつ円滑にホースを巻取ることや長くて重いホースを巻取る労力を軽減すること、長くて重いホースを巻取る時間を短縮することなどである。
【問題を解決するための手段】
【０００５】  この発明のホースの巻取装置は、上部に逆Ｌ字形のホースガイドピンとホースガイドピンとを間隔をおいて相対向して有するパイプを、水平方向の支柱の一端部に、設け、この水平方向の支柱の他端部に、巻取回転軸の一端部には間隔をおいて複数本の巻取ピン付き回転板を設けるとともに巻取回転軸の他端部には先端にハンドル付き回転用棒を、設けて、この巻取ピン付き回転板の外側に１方の止め具を固定した回転板と、回転板より大きくて他方の止め具を固定した巻取板とを、双方の止め具で着脱自在に仮着したものである。
【発明の効果】
【０００６】  この発明のホースの巻取装置は、上部に逆Ｌ字形のホースガイドピンとホースガイドピンとを間隔をおいて相対向して有するパイプを、水平方向の支柱の一端部に、設け、この水平方向の支柱の他端部に、巻取回転軸の一端部には間隔をおいて複数本の巻取ピン付き回転板を設けるとともに巻取回転軸の他端部には先端にハンドル付き回転用棒を、設けて、この巻取ピン付き回転板の外側に１方の止め具を固定した回転板と、回転板より大きくて他方の止め具を固定した巻取板とを、双方の止め具で着脱自在に仮着したから、このホースの巻取装置をホースカーなどの車付き載せ台の上に載せて片付けるホースの端部を偏平にして相対向して設けたホースガイドピンとホースガイドピンとの間に挿入し、挿入したホースの端部を連結金具と一緒に回転板の複数本の巻取ピンの間に挿入した後に回転用棒のハンドルを人力などで回転することにより長くて重いホースを容易でかつ円滑にホースを巻取ることができるとともに砂利道や凹凸地や傾斜地などでも同様に長くて重いホースを比較的容易でかつ比較的円滑にホースを巻取ることができるし、この長くて重いホースを巻取る労力を軽減することができるとともにこの長くて重いホースを巻取る時間を短縮することができる。また、ホースを巻取っていると連結したホースの大きな連結金具がホースガイドピンなどに当たるために最初のホースを巻取りを停止することができるし、巻取りを停止した最初のホースと次のホースとの連結金具による連結を取外してから、相対向したホースガイドピンに挿入した最初のホースの後端部をホースガイドピンから取外して再びハンドルを回転することにより最初のホースの後端部を巻取ることができる。
このようにホースを巻取ることによりホースを引きずらないためにホースを損傷するおそれをなくすことができるし、ホースの巻取りが終了した後に回転板に仮着した大きな巻取板を回転板より容易に取外すことができるためにホースの巻取装置を嵩張らずに小形化して移動や収納を行い易くすることができる。
【０００７】  請求項２のホースの巻取装置においては、ホースの巻取装置のパイプをホースカーの先端部に有するＴ字形牽引棒の把持部に挿入して取付けるとともにホースの巻取装置の支柱をホースカーの先端部に有するＴ字形牽引棒の本体に着脱自在具で着脱自在に仮着したから、ホースの巻取装置のパイプをホースカーの牽引棒の把持部に差込んで簡単に取付けることができるとともに簡単に取外すことができるし、ホースの巻取装置の支柱をホースカーの牽引棒の本体に着脱自在具で簡単に取付けることができるとともに簡単に取外すことができる。また、ホースの巻取装置を取付けたホースカーを移動しながらホースカーの速度とホースの巻取り速度とをほぼ同じにしてホースを巻取ることにより長くて重いホースを容易でかつ円滑にホースを巻取ることができるとともに砂利道や凹凸地や傾斜地などでも同様に長くて重いホースを比較的容易でかつ比較的円滑にホースを巻取ることができるし、この長くて重いホースを巻取る労力を軽減することができるとともにこの長くて重いホースを巻取る時間を短縮することができる。
このようにホースをホースカーの牽引棒に取付けたホースの巻取装置で巻取ることにより地面の上のホースをホースカーの牽引棒まで引上げるために濡れたホースの内外に有する水をホースから排除しながら巻取ることができるとともにホースを引きずらないで引上げるためにホースを損傷するおそれをなくすことができるし、巻取ったホースを直ぐにホースカーの荷台に積載することができるとともに巻取ったホースを搬送しながら新たなホースを巻取ることができるためにホースの巻取りと回収の作業効率が良いという効果と後で巻取ったホースを回収に行く必要がないという効果と巻取ったホースを紛失するおそれがないという効果がある。そして、ホースの巻取りが終了した後にホースの巻取装置をホースカーから簡単に取外すことができるためとホースの巻取装置の回転板に仮着した大きな巻取板を回転板より容易に取外すことができるために取外したホースの巻取装置と取外した平板状の大きな巻取板とをそれぞ別々にホースカーの荷台にコンパクトに収納・保管することができる。
このようにホースカーの荷台に、多数本のホースとコンパクトにした平板状の大きな巻取板と大きな巻取板を取外したホースの巻取装置を、積載して保管することができるために火災などで緊急にホースなどを使用する時にホースカー１台で多数本のホースと必要とするホースの巻取装置全部を円滑に搬送することができる。
【０００８】  請求項３のホースの巻取装置においては、巻取ピン付き回転板と大きな巻取板と巻取回転軸とハンドル付き回転用棒が、回転板に付けた巻取ピン寄り側を、水平方向より上方へと傾斜した角度で支柱の他端部に、設けたから、大きな巻取板より突出した複数本の巻取ピンは水平方向より上方へと傾斜しているためにホースとともにホース端の連結金具を巻取ピンと巻取ピンとの間に作業者が手で入れた後にホースを巻取る際に、ホースは下り傾斜の巻取板寄りになるのでホースが外側へと巻き崩れるのを防止することができて円滑に巻取ることができるし、大きな巻取板によりホースの片側が支えられながら長いホースを安定した状態で巻取ることができる。
【０００９】  請求項４のホースの巻取装置においては、巻取ピン付き回転板が、垂直方向の回転板に巻取ピンを水平方向より上方へと傾斜した角度で設けたから、回転板に仮着した大きな巻取板より突出した複数本の巻取ピンは巻き初めの時には水平方向より上方へと傾斜しているためにホースとともにホース端の連結金具を巻取ピンと巻取ピンとの間に作業者が手で入れた後に最初はホースを作業者の手で押さえながら巻取ることによりホースが外側へと巻き崩れるのを防止することができて円滑に巻取ることができるし、大きな巻取板によりホースの片側が支えられながら長いホースを安定した状態で巻取ることができる。
【００１０】  請求項５のホースの巻取装置においては、巻取ピン付き回転板が、円形の相対向する両側を切除した形状にしたから、この小さい形状の回転板を使用後にホースの巻取装置から取外して移送し易いとともにホースカーなどの荷台や保管場所などの小さい空間に収納・保管することができる。
【００１１】  請求項６のホースの巻取装置においては、パイプが、円形パイプの直径方向に２分割した半円形パイプを、半円形パイプの１方の分割側では１方の端部と他方の端部とを蝶番で連結し、半円形パイプの他方の分割側では１方の半円形パイプに１方の止め具を固定するとともに他方の半円形パイプに他方の止め具を固定して双方の止め具で着脱自在に仮着したパイプであるから、ホースの巻取装置のパイプに仮着した止め具を取外して１方の半円形パイプをホースカーの牽引棒の把持部に載せ、他方の半円形パイプを蝶番により回転して双方の半円形パイプで円形パイプにして双方の止め具で仮着することにより簡単に取付けることができるとともにホースの巻取装置を使用後に仮着した止め具を取外すことにより簡単に取外すことができる。
【発明を実施するための最良の形態】
【００１２】  ホースの巻取装置は、上部に逆Ｌ字形のホースガイドピンとホースガイドピンとを間隔をおいて相対向して有するパイプを水平方向の支柱の一端部に設け、この水平方向の支柱の他端部に、巻取回転軸の一端部には間隔をおいて複数本の巻取ピン付き回転板を設けるとともに巻取回転軸の他端部には先端にハンドル付き回転用棒を、設けて、この巻取ピン付き回転板の外側に１方の止め具を固定した回転板と、回転板より大きくて他方の止め具を固定した巻取板とを、双方の止め具で着脱自在に仮着したものである。
【実施例１】
【００１３】  ホースの巻取装置は、図１から図４に図示したように、水平方向の支柱１の一端部には上部に逆Ｌ字形のホースガイドピン２とホースガイドピン２とを間隔をおいて相対向して有するパイプ３を設け、この支柱の他端部には、巻取回転軸４を設けてこの巻取回転軸４の一端部に間隔をおいて２本の巻取ピン６付き回転板５を設け、この巻取回転軸４の他端部には先端にハンドル８付き回転用棒７を、設ける。
この巻取ピン付き回転板５の外側に１方の仮り止め具５′を固定し、回転板より大きい巻取板９に２個の巻取ピン用穴１０を設けるとともに巻取板の片面に他方の仮り止め具９′を固定して回転板５と巻取板９とを双方の止め具５′，９′で着脱自在に仮着したホースの巻取装置１１である。【００１４】  この実施例１のホースの巻取装置１１を用いてホースを巻取る際は、図５に図示したホースカー１２にホースの巻取装置を次のように仮着する。
ホースカーの先端部に有するＴ字形牽引棒１３の把持部１３′にホースの巻取装置のパイプ３を挿入して取付けるとともにホースカーの先端部に有するＴ字形牽引棒の本体１３″とホースの巻取装置の支柱１とを仮り止めバンド１４で仮着する。
次に、片付けるホースの端部を偏平にして相対向して設けたホースガイドピン２とホースガイドピン２との間に挿入してから回転板５の巻取ピン６と巻取ピン６との間に挿入し、回転用棒のハンドル８を人力などで回転することにより巻取る。なお、この巻取例では支柱１と本体１３″との仮り止め具としてバンドを使用したものについて説明したが、バンド以外の着脱自在金具などの着脱自在具を使用するとよい。
【実施例２】
【００１５】  ホースの巻取装置は、実施例１と同様に構成した巻取装置のパイプをホースカーの先端部に有するＴ字形牽引棒の把持部に挿入して取付けるとともにホースの巻取装置の支柱とホースカーの先端部に有するＴ字形牽引棒の本体とを着脱自在金具で仮着したホースの巻取装置である（図５図示と同様）。【００１６】  この実施例２のホースの巻取装置を用いてホースを巻取る際は、前記と同様に片付けるホースの端部を偏平にして相対向して設けたホースガイドピンとホースガイドピンとの間に挿入してから回転板の巻取ピンと巻取ピンとの間に挿入し、回転用棒のハンドルを人力などで回転することにより巻取る。
【実施例３】
【００１７】  実施例３のホースの巻取装置は図６に図示したように、巻取ピン１６付き回転板１５と巻取板１９と巻取回転軸２０とハンドル１８付き回転用棒１７が、回転板に付けた巻取ピン寄り側を、水平方向より上方へと傾斜した角度、１０度位の角度で設けた点の構成が実施例１などのホースの巻取装置と異なるものである。
【実施例４】
【００１８】  実施例４のホースの巻取装置は図７に図示したように、巻取ピン付き回転板が、垂直方向の回転板２５に巻取ピン２６を水平方向より上方へと傾斜した角度で設けた点の構成が実施例１などのホースの巻取装置と異なるものである。
【実施例５】
【００１９】  実施例５のホースの巻取装置は図８に図示したように、巻取ピン用穴３０付き巻取板３９が、円形の相対向する両側を切除した形状にした点の構成が実施例１などのホースの巻取装置と異なるものである。
【実施例６】
【００２０】  実施例６のホースの巻取装置は、図９図１０に図示したように、パイプ４３が、円形パイプの直径方向に２分割した半円形パイプ４３′と半円形パイプ４３″とを１方の分割側で蝶番４４で連結し、他方の分割側で１方の半円形パイプ４３′に１方のリンク状の止め金具４５を固定し、他方の半円形パイプ４３″に他方のフックの止め金具４６を固定して双方の止め金具４５，４６で着脱自在に仮着した点の構成が実施例１などのホースの巻取装置と異なるものである。なお、このパイプでは２分割した半円形パイプと半円形パイプとの仮り止め具としてリンク状の止め金具とフックの止め金具を使用したものについて説明したが、この仮り止め金具以外の着脱自在金具やバンドなどの着脱自在具を使用するとよい。
【図面の簡単な説明】
【００２１】
【図１】    本発明品の平面図である。
【図２】    同じく正面図である。
【図３】    同じく背面図である。
【図４】    同じく左側面図である。
【図５】    同じく使用時の平面図である。
【図６】    別の本発明品の要部の左側面図である。
【図７】    更に別の本発明品の要部の左側面図である。
【図８】    巻取板の平面図である。
【図９】    別のパイプの正面図である。
【図１０】    同じく左側面図である。
【符号の説明】
【００２２】  １    支柱
２    ホースガイドピン
３    パイプ
４    巻取回転軸
５    回転板
５′  仮り止め具
６    巻取ピン
７    回転用棒
８    ハンドル
９    巻取板
９′  仮り止め具
１０    巻取ピン用穴
１１    ホースの巻取装置
【図１】
2008201579.tif 000003
【図２】
2008201579.tif 000004
【図３】
2008201579.tif 000005
【図４】
2008201579.tif 000006
【図５】
2008201579.tif 000007
【図６】
2008201579.tif 000008
【図７】
2008201579.tif 000009
【図８】
2008201579.tif 000010
【図９】
2008201579.tif 000011
【図１０】
2008201579.tif 000012